(57)【特許請求の範囲】
【請求項１】
患者が使用する第１の端末と、医療従事者が使用する第２の端末と、電子カルテを管理する医療情報システムと通信可能なプロセッサと、
前記医療情報システムによって管理されている電子カルテのうちの少なくとも一部を含む患者データを記憶する記憶部と、
を具備し、
前記プロセッサは、
前記第１の端末に、前記記憶部に記憶されている前記患者データに基づいて生成された画面を表示させ、
前記第２の端末から前記患者に対するバイタル入力リクエストを受信し、
前記第１の端末に、前記バイタル入力リクエストに対応するバイタル入力画面を表示させ、
前記第１の端末から前記患者によって入力されたバイタルデータを受信し、
前記バイタルデータを前記記憶部に記憶させ、
前記第２の端末から前記バイタルデータに対する承認を受信した場合に、前記バイタルデータに基づいて、前記医療情報システムに、前記電子カルテを更新させる、
情報処理装置。
【請求項２】
前記プロセッサは、前記第２の端末から前記バイタルデータに対する前記承認を受信した場合に、前記バイタルデータに基づいて前記患者データを更新する、
請求項１の情報処理装置。
【請求項３】
前記第１の端末は、ベッドサイド端末であり、
前記プロセッサは、
前記第１の端末に医療従事者用画面を表示させ、
前記第１の端末から前記医療従事者または他の医療従事者によって入力された入力データを受信すると、前記入力データを前記記憶部に記憶させ、前記第１の端末に前記入力データに対する承認画面を表示させ、
前記第１の端末から前記入力データに対する承認を受信した場合に、前記入力データに基づいて、前記医療情報システムに、前記電子カルテを更新させる、
請求項１または請求項２の情報処理装置。
【請求項４】
前記プロセッサは、前記第１の端末から前記入力データに対する前記承認を受信した場合に、前記入力データに基づいて、前記患者データを更新する、
請求項３の情報処理装置。
【請求項５】
前記プロセッサは、前記第２の端末に前記患者と医療機関との間で締結された契約内容の設定画面を表示させ、前記第２の端末から前記医療従事者によって入力された前記契約内容を含む付加データを受信すると、前記付加データを前記記憶部に記憶させ、前記記憶部に記憶されている前記患者データと前記付加データとに基づいて生成された画面を、前記第１の端末に表示させる、
請求項１ないし請求項４のうちのいずれか１項の情報処理装置。
【請求項６】
前記プロセッサは、前記記憶部に記憶されているスケジュール情報に基づいて、前記第１の端末に、前記バイタル入力画面を表示させる、
請求項１ないし請求項５のうちのいずれか１項の情報処理装置。
【請求項７】
コンピュータに、
医療情報システムによって管理されている電子カルテのうちの少なくとも一部を含む患者データを記憶部に記憶させる機能と、
患者が使用する第１の端末に、前記記憶部に記憶されている前記患者データに基づいて生成された画面を表示させる機能と、
医療従事者が使用する第２の端末から前記患者に対するバイタル入力リクエストを受信する機能と、
前記第１の端末に、前記バイタル入力リクエストに対応するバイタル入力画面を表示させる機能と、
前記第１の端末から前記患者によって入力されたバイタルデータを受信する機能と、
前記バイタルデータを前記記憶部に記憶させる機能と、
前記第２の端末から前記バイタルデータに対する承認を受信した場合に、前記バイタルデータに基づいて、前記医療情報システムに、前記電子カルテを更新させる機能と、
を実現させるためのプログラム。
【発明の詳細な説明】
【技術分野】
【０００１】
本発明は、例えば医療情報システムなどで管理されている情報を、ベッドに関連付けられているベッドサイド端末に表示させるための情報処理装置およびプログラムに関する。
【背景技術】
【０００２】
医療機関で用いられる医療情報システムは、電子カルテを管理する。この電子カルテに含まれている患者情報を、ベッドサイドに備えられているベッドサイド端末に表示するサービスが提供されている。
【０００３】
ベッドサイド端末は、管理サーバと連携して動作する。管理サーバは、医療情報システムから電子カルテのうちの少なくとも一部のデータを受信する。医療機関のスタッフ（例えば医師または看護師などの医療従事者）は、例えばベッドサイド端末に患者識別データを入力する。ベッドサイド端末は、患者識別データを管理サーバへ送信する。管理サーバは、電子カルテのうちの少なくとも一部のデータから患者識別データに関連する患者情報を選択し、患者情報をベッドサイド端末へ送信する。これにより、ベッドサイド端末に患者情報が表示される。
【先行技術文献】
【特許文献】
【０００４】
【特許文献１】特許第６６８２０３４号公報
【発明の概要】
【発明が解決しようとする課題】
【０００５】
患者およびスタッフの双方にとってベッドサイド端末の利便性が高いことが望まれる。
【０００６】
本発明は、上記実情に鑑みてなされたものであり、ベッドサイド端末の利便性を向上させる情報処理装置およびプログラムに関する。
【課題を解決するための手段】
【０００７】
本発明の情報処理装置は、プロセッサと記憶部とを備える。プロセッサは、患者が使用する第１の端末と、医療従事者が使用する第２の端末と、電子カルテを管理する医療情報システムと通信可能である。記憶部は、医療情報システムによって管理されている電子カルテのうちの少なくとも一部を含む患者データを記憶する。プロセッサは、第１の端末に、記憶部に記憶されている患者データに基づいて生成された画面を表示させ、第２の端末から患者に対するバイタル入力リクエストを受信し、第１の端末に、バイタル入力リクエストに対応するバイタル入力画面を表示させ、第１の端末から患者によって入力されたバイタルデータを受信し、バイタルデータを記憶部に記憶させ、第２の端末からバイタルデータに対する承認を受信した場合に、バイタルデータに基づいて、医療情報システムに、電子カルテを更新させる。
【発明の効果】
【０００８】
本発明によれば、ベッドサイド端末の利便性を向上させることができる。
【図面の簡単な説明】
【０００９】
【図１】第１の実施形態に係る情報処理システムの例を示すブロック図。
【図２】第１の実施形態に係るベッドサイド端末における画面遷移の例を示す図。
【図３】患者情報フローにおいて表示される画面の例を示す図。
【図４】スタッフ機能フローにおいて表示される画面およびスタッフ機能フローにおいて実行される処理の例を示す図。
【図５】第１の実施形態に係る情報処理システムによって実行される処理の例を示すフローチャート。
【図６】第２の実施形態に係る情報処理システムの例を示すブロック図。
【図７】第２の実施形態に係るベッドサイド端末における画面遷移の例を示す図。
【図８】第２の実施形態に係る情報処理システムによって実行される処理の例を示すフローチャート。
【図９】第３の実施形態に係る情報処理システムの例を示すブロック図。
【図１０】管理端末によって表示される患者管理画面の例を示す図。
【図１１】ベッドサイド端末によって表示される画面の例を示す図。
【図１２】第３の実施形態に係る情報処理システムによって実行される処理の例を示すフローチャート。
【図１３】管理端末によって表示される患者管理画面の変化状態の例を示す図。
【図１４】ベッドサイド端末におけるトップ画面からバイタル入力画面への変化の例を示す図。
【図１５】患者によるバイタルデータの入力の例を示す図。
【図１６】管理端末におけるバイタルデータの承認の例を示す図。
【図１７】ベッドサイド端末によって表示される設定画面の第１の例を示す図。
【図１８】ベッドサイド端末によって表示される設定画面の第２の例を示す図。
【図１９】ベッドサイド端末によって表示されるクリニカルパスの例を示す図。
【図２０】第４の実施形態に係るベッドサイド端末を用いてナースコールを実行可能なトップ画面の例を示す図。
【図２１】ベッドサイド端末と管理端末との間で送受信されたメッセージの例を示す図。
【図２２】スケジュール情報に基づいて自動でナースコールを実行した場合のメッセージの例を示す図。
【発明を実施するための形態】
【００１０】
以下、図面を参照して実施形態を説明する。図面において、同一または類似の機能および構成要素については、同一符号を付して説明を省略するか、または、簡単に説明を行う。
【００１１】
（第１の実施形態）
第１の実施形態では、管理サーバが、ベッドサイド端末から患者または医療機関のスタッフによって入力された入力データを受信し、ベッドサイド端末から入力データに対するスタッフの承認を受信し、入力データがスタッフによって承認された場合に、入力データに基づいて医療情報システムで管理されている電子カルテおよび管理サーバで管理されている患者データを更新する情報処理システムを説明する。
【００１２】
第１の実施形態において、入力データは、例えば、患者のバイタルデータを含むとする。入力データは、例えば患者またはスタッフなどのベッドサイド端末の操作者によってベッドサイド端末へ入力される。第１の実施形態では、主に、スタッフによって入力データがベッドサイド端末へ入力される場合を説明する。
【００１３】
第１の実施形態に係る情報処理システムは、医療分野に適用される場合を例として説明するが、例えば介護分野などの他の分野に適用されてもよい。
【００１４】
図１は、第１の実施形態に係る情報処理システム１の例を示すブロック図である。
【００１５】
情報処理システム１は、医療サーバＳａと、管理サーバＳｂと、ベッドサイド端末Ｔａとを備える。なお、情報処理システム１は、複数のベッドサイド端末を備えてもよいが、第１の実施形態では、説明を簡略化するため、患者Ｐに割り当てられたベッドサイド端末Ｔａを備える情報処理システム１を説明する。
【００１６】
医療サーバＳａと管理サーバＳｂとは、例えば専用回線、インターネット、ＬＡＮ（Local Area Network）、または、無線ＬＡＮなどのようなネットワークＮ１経由で互いに通信可能である。管理サーバＳｂとベッドサイド端末Ｔａとは、例えば専用回線、インターネット、ＬＡＮ、または、無線ＬＡＮなどのようなネットワークＮ２経由で互いに通信可能である。以下においては、説明を簡略化するため、ネットワークＮ１，Ｎ２を省略して説明する場合がある。
【００１７】
医療サーバＳａと、管理サーバＳｂと、ベッドサイド端末Ｔａとは、例えばコンピュータまたは情報処理装置である。ベッドサイド端末Ｔａは、例えば、タブレット型コンピュータとしてもよい。
【００１８】
医療サーバＳａは、例えば、通信部Ｃ１、記憶部Ｍ１、プロセッサＰ１を備える。
【００１９】
記憶部Ｍ１は、例えば、ソフトウェア２と電子カルテ３とを記憶する。
【００２０】
プロセッサＰ１は、例えば、記憶部Ｍ１に記憶されているソフトウェア２を実行することにより、編集部４およびデータ検索部５としての機能を実現する。ソフトウェア２は、例えば、ＯＳ（オペレーティングシステム）、医療情報システムとしての機能を実現するためのアプリケーション・ソフトウェア、通信制御ソフトウェアなどを含むとしてもよい。
【００２１】
管理サーバＳｂは、例えば、通信部Ｃ２、記憶部Ｍ２、プロセッサＰ２を備える。
【００２２】
記憶部Ｍ２は、例えば、ソフトウェア６、表示データ７１〜７ｋ、患者データ８、端末識別データＴ１，Ｔｎ、患者認証データ９、承認データ１０、入力データ１１を記憶する。
【００２３】
プロセッサＰ２は、例えば、記憶部Ｍ２に記憶されているソフトウェア６を実行することにより、リクエスト処理部１２、患者認証部１３、承認部１４、データ処理部１５としての機能を実現する。ソフトウェア６は、例えば、ＯＳ、当該ＯＳ上で動作し医療サーバＳａおよびベッドサイド端末Ｔａと連携するためのアプリケーション・ソフトウェア、通信制御ソフトウェアなどを含むとしてもよい。リクエスト処理部１２は、患者認証部１３、承認部１４、データ処理部１５を含むとしてもよい。
【００２４】
ベッドサイド端末Ｔａは、例えば、通信部Ｃ３、操作受付部Ｒ１、表示部Ｄ１、記憶部Ｍ３、プロセッサＰ３などを備える。
【００２５】
記憶部Ｍ３は、例えば、ソフトウェア１６、表示データ７１〜７ｋ、入力データ１１を記憶する。
【００２６】
プロセッサＰ３は、例えば、記憶部Ｍ３に記憶されているソフトウェア１６を実行することにより、リクエスト処理部１７としての機能を実現する。ソフトウェア１６は、例えば、ＯＳ、ブラウザなどを含むとしてもよい。
【００２７】
以下で、医療サーバＳａ、管理サーバＳｂ、ベッドサイド端末Ｔａを順に説明する。
【００２８】
まず、医療サーバＳａを説明する。
【００２９】
医療サーバＳａは、例えば、電子カルテ３を管理する医療情報システムである。
【００３０】
通信部Ｃ１は、管理サーバＳｂからネットワークＮ１経由で、例えばデータ、情報、信号、リクエスト、コマンド、通知、指示、応答などを受信する。また、通信部Ｃ１は、ネットワークＮ１経由で管理サーバＳｂへ、例えばデータ、情報、信号、リクエスト、コマンド、通知、指示、応答などを送信する。なお、以下で説明する他の通信部は、通信部Ｃ１と同様のデバイスとしてもよい。
【００３１】
記憶部Ｍ１は、例えば揮発性メモリと不揮発性メモリとを含む。記憶部Ｍ１は、例えば、ハードディスクドライブ（ＨＤＤ）、または、ソリッドステートドライブ（ＳＳＤ）などのようなストレージデバイスでもよい。記憶部Ｍ１は、主記憶装置を含むとしてもよく、キャッシュメモリを含むとしてもよく、バッファメモリを含むとしてもよい。なお、以下で説明する他の記憶部は、記憶部Ｍ１と同様のデバイスとしてもよい。
【００３２】
ソフトウェア２は、プロセッサＰ１によって実行されることにより、医療情報システムとしての各種機能を実現する。医療情報システムとしての機能としては、例えば、電子カルテ３のためのデータの受信機能、電子カルテ３の編集機能および管理機能、電子カルテ３に含まれているデータの送信機能などがある。
【００３３】
電子カルテ３は、例えば、患者の個人情報、診察内容、診断結果、処方箋、経過情報、スケジュール情報などを患者ごとに電子的に記録しているデータである。第１の実施形態において、電子カルテ３は、例えば、患者を識別するための患者識別データＰＩＤ１〜ＰＩＤｎと、患者に対応する各種の情報である患者情報ＰＩ１〜ＰＩｎとを関連付けている。患者情報ＰＩ１〜ＰＩｎのそれぞれは、例えば、担当の医師を識別するための医師識別データ、患者に関する例えば診察内容、診断結果、処方箋、経過情報、スケジュール情報などのような診療データ、患者が入院かまたは通院かを示す入院／通院データ（フラグ情報）などを含むとしてもよい。
【００３４】
第１の実施形態において、患者識別データＰＩＤ１〜ＰＩＤｎと患者情報ＰＩ１〜ＰＩｎとは分かれているが、患者識別データＰＩＤ１〜ＰＩＤｎは患者情報ＰＩ１〜ＰＩｎ内に含まれていてもよい。
【００３５】
プロセッサＰ１は、例えば、ＣＰＵ（Central Processing Unit）、ＭＰＵ（Micro Processing Unit）、ＧＰＵ（Graphics Processing Unit）などである。プロセッサＰ１は、通信部Ｃ１を使用してネットワークＮ１経由で管理サーバＳｂと通信可能である。なお、以下で説明する他のプロセッサは、プロセッサＰ１と同様のデバイスとしてもよい。
【００３６】
プロセッサＰ１は、記憶部Ｍ１から各種データおよび各種ソフトウェアをリード可能であり、記憶部Ｍ１へ各種データおよび各種ソフトウェアをライト可能である。
【００３７】
編集部４は、他の装置からネットワークＮ１および通信部Ｃ１経由で、または、図示しない医療サーバＳａの操作受付部または操作端末から、リクエスト（またはコマンド）を受信し、リクエストにしたがって、記憶部Ｍ１に記憶されている電子カルテ３に対するデータ（例えば患者識別データＰＩＤ１〜ＰＩＤｎまたは患者情報ＰＩ１〜ＰＩｎなど）の登録、編集、管理、更新、または、削除などを行う。
【００３８】
データ検索部５は、例えば、管理サーバＳｂからネットワークＮ１および通信部Ｃ１経由で受信したリクエストにしたがって、データ検索を実行し、検索されたデータを、通信部Ｃ１およびネットワークＮ１経由で管理サーバＳｂへ送信する。
【００３９】
より具体的に説明すると、データ検索部５は、例えば、管理サーバＳｂからネットワークＮ１および通信部Ｃ１経由で、患者情報の検索リクエストを受信する。そして、データ検索部５は、電子カルテ３から、検索条件を満たす患者に関する患者識別データＰＩＤ１，ＰＩＤｎおよび患者情報ＰＩ１，ＰＩｎを抽出し、抽出した患者識別データＰＩＤ１，ＰＩＤｎおよび患者情報ＰＩ１，ＰＩｎを含む患者データ８を通信部Ｃ１およびネットワークＮ１経由で管理サーバＳｂへ送信する。
【００４０】
例えば、データ検索部５は、管理サーバＳｂからネットワークＮ１および通信部Ｃ１経由で患者識別データＰＩＤ１，ＰＩＤｎと検索リクエストを受信する。この場合、データ検索部５は、電子カルテ３から、患者識別データＰＩＤ１，ＰＩＤｎに対応する患者情報ＰＩ１，ＰＩｎを抽出してもよい。
【００４１】
例えば、データ検索部５は、管理サーバＳｂからネットワークＮ１および通信部Ｃ１経由で、入院している患者を抽出する旨の検索リクエストを受信する。この場合、データ検索部５は、電子カルテ３から、入院フラグを含む患者情報ＰＩ１，ＰＩｎと、当該入院フラグを含む患者情報ＰＩ１，ＰＩｎに対応する患者識別データＰＩＤ１，ＰＩＤｎを、抽出してもよい。
【００４２】
次に、管理サーバＳｂを説明する。
【００４３】
管理サーバＳｂは、医療サーバＳａ、ベッドサイド端末Ｔａと連携して動作する。
【００４４】
管理サーバＳｂは、例えば、医療サーバＳａから電子カルテ３の少なくとも一部を含む患者データ８を受信し、この受信した患者データ８を用いてベッドサイド端末Ｔａに各種のデータを表示させるサービスを提供する情報処理装置である。管理サーバＳｂは、ベッドサイド端末Ｔａなどのベッドサイド機器を管理する管理会社によって運営されてもよい。
【００４５】
より具体的に説明すると、管理サーバＳｂは、例えば、患者識別データＰＩＤ１，ＰＩＤｎと検索リクエストとを、ネットワークＮ１経由で医療サーバＳａへ送信する。そして、管理サーバＳｂは、応答として、患者識別データＰＩＤ１，ＰＩＤｎと、当該患者識別データＰＩＤ１，ＰＩＤｎに対応する患者情報ＰＩ１，ＰＩｎとを含む患者データ８を、医療サーバＳａからネットワークＮ１経由で受信する。
【００４６】
あるいは、管理サーバＳｂは、例えば、入院している患者を抽出するための検索リクエストを、ネットワークＮ１経由で医療サーバＳａへ送信する。そして、管理サーバＳｂは、応答として、入院フラグを含む患者情報ＰＩ１，ＰＩｎと、当該入院フラグを含む患者情報ＰＩ１，ＰＩｎに対応する患者識別データＰＩＤ１，ＰＩＤｎとを含む患者データ８を、医療サーバＳａからネットワークＮ１経由で受信する。
【００４７】
なお、管理サーバＳｂは、例えば、一度、患者データ８を取得すると、その後は、患者データ８に含まれている患者識別データＰＩＤ１，ＰＩＤｎに基づいて、周期的に、医療サーバＳａから患者識別データＰＩＤ１，ＰＩＤｎに対応する患者情報ＰＩ１，ＰＩｎを取得し、取得した患者情報ＰＩ１，ＰＩｎに基づいて患者データ８を更新してもよい。
【００４８】
管理サーバＳｂは、患者データ８に含まれている患者識別データＰＩＤ１，ＰＩＤｎに関連する端末識別データＴ１，Ｔｎを管理する。
【００４９】
管理サーバＳｂは、各種のリクエストをベッドサイド端末ＴａからネットワークＮ２経由で受信する。また、管理サーバＳｂは、各種のリクエストに対応する各種の表示データ７１〜７ｋをネットワークＮ２経由でベッドサイド端末Ｔａへ送信する。
【００５０】
ソフトウェア６は、プロセッサＰ２によって実行されることにより、医療サーバＳａ、ベッドサイド端末Ｔａと連携し、患者Ｐによって入力された入力データ１１を医療機関のスタッフＳが承認するための各種機能を実現する。
【００５１】
表示データ７１〜７ｋは、例えばＨＴＭＬ（HyperText Markup Language）形式またはＸＭＬ（Extensible Markup language）などのデータとしてもよい。表示データ７１〜７ｋのうちのいずれかは、患者情報ＰＩ１をベッドサイド端末Ｔａに表示させるための画面データでもよく、ベッドサイド端末Ｔａを使用する患者ＰまたはスタッフＳに様々な操作または確認を促すための画面データでもよい。
【００５２】
患者データ８は、電子カルテ３の少なくとも一部を含み、管理サーバＳｂがネットワークＮ１経由で医療サーバＳａから受信したデータである。患者データ８は、例えば、医療サーバＳａへ送信された患者識別データＰＩＤ１，ＰＩＤｎと、当該患者識別データＰＩＤ１，ＰＩＤｎによって指定される患者の患者情報ＰＩ１，ＰＩｎを含むとしてもよい。患者データ８は、例えば、入院している患者の患者識別データＰＩＤ１，ＰＩＤｎおよび患者情報ＰＩ１，ＰＩｎを含むとしてもよい。
【００５３】
端末識別データＴ１，Ｔｎのそれぞれは、複数のベッドサイド端末のそれぞれを識別するためのデータである。端末識別データＴ１，Ｔｎのそれぞれは、例えば、端末識別データＴ１，Ｔｎのそれぞれに対応するベッドサイド端末に対する通信に使用されるアドレス（例えばＩＰアドレス：Internet Protocol Address）を含むとしてもよい。
【００５４】
第１の実施形態において、端末識別データＴ１は、例えば、患者データ８に含まれており当該端末識別データＴ１で指定されるベッドサイド端末Ｔａに対応する患者Ｐの患者識別データＰＩＤ１と関連付けられている。端末識別データＴｎは、当該端末識別データＴｎで指定されるベッドサイド端末に対応する患者の患者識別データＰＩＤｎと関連付けられている。
【００５５】
患者認証データ９は、ベッドサイド端末Ｔａの使用を許可されている患者の患者識別データＰＩＤ１〜ＰＩＤｎと、当該患者識別データＰＩＤ１〜ＰＩＤｎのそれぞれに対応する例えばパスワードなどのような認証データＰＰ１〜ＰＰｎとを関連付けている。言い換えれば、患者認証データ５７は、認証成功と判断すべき患者識別データと認証データとの組み合わせを含む。
【００５６】
承認データ１０は、入力データ１１の承諾を行う権限を有するスタッフのスタッフ識別データＳＩＤ１〜ＳＩＤｍと、当該スタッフ識別データＳＩＤ１〜ＳＩＤｍのそれぞれに対応する認証データＳＰ１〜ＳＰｍとを関連付けている。言い換えれば、スタッフ認証データ５８は、入力データ１１を承認可能なスタッフのスタッフ識別データと認証データとの組み合わせを含む。
【００５７】
リクエスト処理部１２は、ベッドサイド端末Ｔａから通信部Ｃ２経由で、各種のリクエストなどを受信する。リクエスト処理部１２は、リクエストにしたがって表示データ７１〜７ｋを生成し、表示データ７１〜７ｋを記憶部Ｍ２に記憶させる。そして、リクエスト処理部１２は、記憶部Ｍ２に記憶されている表示データ７１〜７ｋを通信部Ｃ２経由でベッドサイド端末Ｔａへ送信する。
【００５８】
例えば、リクエスト処理部１２は、ベッドサイド端末ＴａからネットワークＮ２および通信部Ｃ２経由で、患者認証リクエストと患者識別データとを受信した場合に、患者認証部１３を用いて患者認証を実行し、表示データ７１〜７ｋのうちの患者認証結果に対応するデータを、通信部Ｃ２およびネットワークＮ２経由でベッドサイド端末Ｔａへ送信する。
【００５９】
例えば、リクエスト処理部１２は、ベッドサイド端末ＴａからネットワークＮ２および通信部Ｃ２経由で、入力リクエストを受信した場合に、表示データ７１〜７ｋのうちのバイタルデータ入力を促すバイタル入力画面を表示するためのデータを、通信部Ｃ２およびネットワークＮ２経由でベッドサイド端末Ｔａへ送信する。次に、リクエスト処理部１２は、ベッドサイド端末ＴａからネットワークＮ２および通信部Ｃ２経由で、入力データ１１と患者識別データとを受信した場合に、入力データ１１を患者識別データと関連付けた状態で記憶部Ｍ２に記憶させる。
【００６０】
例えば、リクエスト処理部１２は、ベッドサイド端末ＴａからネットワークＮ２および通信部Ｃ２経由で、入力データ１１の承認リクエストとスタッフ識別データとを受信した場合に、承認部１４を用いて承認を許可するか否かを判断し、表示データ７１〜７ｋのうちの承認結果に対応するデータを、通信部Ｃ２およびネットワークＮ２経由でベッドサイド端末Ｔａへ送信する。
【００６１】
例えば、リクエスト処理部１２は、ベッドサイド端末ＴａからネットワークＮ２および通信部Ｃ２経由で、ログアウトリクエストを受信した場合に、ベッドサイド端末Ｔａに対するログアウト処理を実行する。
【００６２】
患者認証部１３は、例えば、ベッドサイド端末Ｔａから受信された患者認証リクエストと、患者識別データとに基づいて、患者認証を実行する。より具体的に説明すると、例えば、患者認証部１３は、患者認証リクエストに対応する患者識別データおよび認証データの組み合わせが、患者認証データ９に登録されている場合に、認証成功と判断する。患者認証部１３は、患者認証リクエストに対応する患者識別データおよび認証データの組み合わせが、患者認証データ９に登録されていない場合に、認証失敗と判断する。
【００６３】
承認部１４は、例えば、ベッドサイド端末Ｔａから受信された承認リクエストと、スタッフ識別データとに基づいて、承認を許可するか否かを判断する。より具体的に説明すると、例えば、承認部１４は、承認リクエストに対応するスタッフ識別データおよび認証データの組み合わせが、承認データ１０に登録されている場合に、入力データ１１を承認する。承認部１４は、承認リクエストに対応するスタッフ識別データおよび認証データの組み合わせが、承認データ１０に登録されていない場合に、入力データ１１を承認しない。
【００６４】
データ処理部１５は、承認部１４によって承認された入力データ１１に基づいて電子カルテ３を更新するために、更新リクエストおよび入力データ１１を、通信部Ｃ２およびネットワークＮ２経由で医療サーバＳａへ送信する。また、データ処理部１５は、承認部１４によって承認された入力データ１１、または、更新後の電子カルテ３に基づいて、患者データ８を更新する。
【００６５】
次に、ベッドサイド端末Ｔａを説明する。
【００６６】
ベッドサイド端末Ｔａは、管理サーバＳｂとネットワークＮ２経由で通信可能である。
【００６７】
ベッドサイド端末Ｔａは、患者Ｐのベッドと関連付けられ、ベッド近傍に配置されるコンピュータである。ベッドサイド端末Ｔａは、例えば、医師または看護師などの医療機関のスタッフＳ、患者Ｐ、患者Ｐの家族などによって使用される。
【００６８】
操作受付部Ｒ１は、例えば、マウス、タッチパネル、タッチパッドなどのポインティングデバイス、または、キーボードなどである。なお、以下で説明する他の操作受付部は、操作受付部Ｒ１と同様のデバイスとしてもよい。
【００６９】
表示部Ｄ１は、例えば、有機ＥＬ（Electro Luminescence）ディスプレイ、または、液晶ディスプレイなどである。表示部Ｄ１は、例えば、プロセッサＰ３による制御にしたがって各種のデータまたは情報を表示する。なお、以下で説明する他の表示部は、表示部Ｄ１と同様のデバイスとしてもよい。
【００７０】
リクエスト処理部１７は、ベッドサイド端末Ｔａを操作する例えば患者ＰまたはスタッフＳから操作受付部Ｒ１経由で、各種の指示または操作を受け付ける。そして、リクエスト処理部１７は、各種の指示または操作に対応する各種のリクエストを、通信部Ｃ３経由で管理サーバＳｂへ送信する。
【００７１】
リクエスト処理部１７は、例えば、スタッフＳまたは患者Ｐから操作受付部Ｒ１経由で受け付けた入力データ１１、または、他のデバイスから通信部Ｃ３経由で受信した入力データ１１を、記憶部Ｍ３に記憶させ、記憶部Ｍ３に記憶されている入力データ１１を通信部Ｃ３経由で管理サーバＳｂへ送信する。
【００７２】
リクエスト処理部１７は、各種のリクエストの応答として、例えば表示データ７１〜７ｋを、管理サーバＳｂから通信部Ｃ３経由で受信する。すると、リクエスト処理部１７は、受信した表示データ７１〜７ｋを記憶部Ｍ３に記憶させ、記憶部Ｍ３に記憶されている表示データ７１〜７ｋを表示部Ｄ１に表示させる。
【００７３】
図２は、第１の実施形態に係るベッドサイド端末Ｔａにおける画面遷移の例を示す図である。
【００７４】
ベッドサイド端末Ｔａは、スタート画面リクエストを管理サーバＳｂへ送信する。管理サーバＳｂは、スタート画面リクエストに応じてスタート画面Ｉ１用の表示データ７１をベッドサイド端末Ｔａへ送信する。ベッドサイド端末Ｔａは、管理サーバＳｂから表示データ７１を受信し、表示データ７１を表示する。この結果、ベッドサイド端末Ｔａの表示部Ｄ１に、スタート画面Ｉ１が表示される。
【００７５】
スタート画面Ｉ１は、例えばカレンダーおよび時刻情報を含む。
【００７６】
ベッドサイド端末Ｔａは、患者Ｐの指示にしたがって、患者ＩＤ入力リクエストを管理サーバＳｂへ送信する。管理サーバＳｂは、患者ＩＤ入力リクエストに応じて、患者ＩＤ入力画面Ｉ２用の表示データ７２をベッドサイド端末Ｔａへ送信する。ベッドサイド端末Ｔａは、管理サーバＳｂから表示データ７２を受信し、表示データ７２を表示する。この結果、ベッドサイド端末Ｔａの表示部Ｄ１に、患者ＩＤ入力画面Ｉ２が表示される。
【００７７】
患者ＩＤ入力画面Ｉ２は、患者識別データ（患者ＩＤ）の入力領域と、各種ボタンを含む操作受付領域とを含む。なお、患者ＩＤ入力画面Ｉ２は、パスワードなどの認証データの入力領域を含むとしてもよいが、以下では、説明を簡素化するため、認証データに関する説明は省略する。
【００７８】
ベッドサイド端末Ｔａは、患者Ｐの指示にしたがって、患者認証リクエストと患者識別データとを管理サーバＳｂへ送信する。管理サーバＳｂは、患者認証リクエストと患者識別データとに応じて、患者認証を実行し、患者認証に成功した場合、患者識別データに対応する患者情報に基づいてトップ画面Ｉ３用の表示データ７３を生成し、表示データ７３をベッドサイド端末Ｔａへ送信する。ベッドサイド端末Ｔａは、管理サーバＳｂから表示データ７３を受信し、表示データ７３を表示する。この結果、ベッドサイド端末Ｔａの表示部Ｄ１に、患者情報を含むトップ画面Ｉ３が表示される。
【００７９】
ベッドサイド端末Ｔａは、患者Ｐの指示にしたがって、患者情報フローｆ１に属する画面を表示するための患者情報リクエスト、または、スタッフ機能フローｆ２に属する画面を表示するためのスタッフ機能リクエストを、管理サーバＳｂへ送信する。
【００８０】
管理サーバＳｂは、患者情報リクエストに応じて、患者情報フローｆ１に属する画面を表示するための表示データを生成し、生成した表示データをベッドサイド端末Ｔａへ送信する。この結果、ベッドサイド端末Ｔａの表示部Ｄ１に、患者情報フローｆ１に属する画面が表示される。その後、管理サーバＳｂは、患者情報フローｆ１に属する画面からトップ画面Ｉ３へ戻るように、トップ画面Ｉ３用の表示データ７３をベッドサイド端末Ｔａへ送信し、ベッドサイド端末Ｔａの表示部Ｄ１に表示されている画面を切り替えてもよい。
【００８１】
管理サーバＳｂは、スタッフ機能リクエストに応じて、スタッフ機能フローｆ２に属する画面を表示するための表示データを生成し、生成した表示データをベッドサイド端末Ｔａへ送信する。この結果、ベッドサイド端末Ｔａの表示部Ｄ１に、スタッフ機能フローｆ２に属する画面が表示される。その後、管理サーバＳｂは、スタッフ機能フローｆ２に属する画面からトップ画面Ｉ３へ戻るように、トップ画面Ｉ３用の表示データ７３をベッドサイド端末Ｔａへ送信し、ベッドサイド端末Ｔａの表示部Ｄ１に表示されている画面を切り替えてもよい。また、管理サーバＳｂは、スタッフ機能フローｆ２に属する画面からスタート画面Ｉ１へ戻るように、スタート画面Ｉ１用の表示データ７１をベッドサイド端末Ｔａへ送信し、ベッドサイド端末Ｔａの表示部Ｄ１に表示されている画面を切り替えてもよい。
【００８２】
図３は、患者情報フローｆ１において表示される画面の例を示す図である。
【００８３】
患者情報フローｆ１において表示される画面としては、例えば、患者情報画面Ｉ４、検査画面Ｉ５、離床報告画面Ｉ６、伝言板画面Ｉ７、バイタル表示画面Ｉ８、検査結果画面Ｉ９などがある。
【００８４】
図４は、スタッフ機能フローｆ２において表示される画面およびスタッフ機能フローｆ２において実行される処理の例を示す図である。
【００８５】
患者情報フローｆ１において表示される画面としては、例えば、バイタル入力画面Ｉ１０、ピクトグラム編集画面Ｉ１１、患者登録解除画面Ｉ１２、スタッフ承認画面Ｉ１３などがある。
【００８６】
スタッフ機能フローｆ２において、管理サーバＳｂは、バイタル入力画面Ｉ１０をベッドサイド端末Ｔａに表示させる。ベッドサイド端末Ｔａは、スタッフＳによるバイタルデータの入力を受け付け、バイタルデータを含む入力データ１１を管理サーバＳｂへ送信する。
【００８７】
管理サーバＳｂは、ベッドサイド端末Ｔａから入力データ１１を受信すると、スタッフ承認画面Ｉ１３をベッドサイド端末Ｔａに表示させる。ベッドサイド端末Ｔａは、スタッフＳのスタッフ識別データを管理サーバＳｂへ送信する。
【００８８】
管理サーバＳｂは、ベッドサイド端末Ｔａからスタッフ識別データを受信し、入力データ１１がスタッフ識別データの示すスタッフＳによって承認された場合に、電子カルテ３と患者データ８とを入力データ１１に基づいて更新するための処理１８を実行する。第１の実施形態において、管理サーバＳｂは、処理１８の後、ベッドサイド端末Ｔａの画面をトップ画面Ｉ３へ切り替えてもよい。
【００８９】
スタッフ機能フローｆ２において、管理サーバＳｂは、ピクトグラム編集画面Ｉ１１をベッドサイド端末Ｔａに表示させる。ベッドサイド端末Ｔａは、スタッフＳによるピクトグラムの編集指示を受け付け、編集内容を含む入力データ１１を管理サーバＳｂへ送信する。
【００９０】
管理サーバＳｂは、ベッドサイド端末Ｔａから編集内容を含む入力データ１１を受信すると、スタッフ承認画面Ｉ１３をベッドサイド端末Ｔａに表示させる。ベッドサイド端末Ｔａは、スタッフＳのスタッフ識別データを管理サーバＳｂへ送信する。
【００９１】
管理サーバＳｂは、ベッドサイド端末Ｔａからスタッフ識別データを受信し、編集内容を含む入力データ１１がスタッフ識別データの示すスタッフＳによって承認された場合に、編集内容に基づいて表示データ７１〜７ｋのうちのいずれか（例えば、トップ画面Ｉ３用の表示データ７３）を更新するための処理１９を実行する。第１の実施形態において、管理サーバＳｂは、処理１９の後、ベッドサイド端末Ｔａの画面をトップ画面Ｉ３へ切り替えてもよい。
【００９２】
スタッフ機能フローｆ２において、管理サーバＳｂは、患者登録解除画面Ｉ１２をベッドサイド端末Ｔａに表示させる。ベッドサイド端末Ｔａは、スタッフＳによる患者登録解除指示を受け付け、患者登録を解除する患者の患者識別データを管理サーバＳｂへ送信する。
【００９３】
管理サーバＳｂは、ベッドサイド端末Ｔａから患者登録を解除する患者の患者識別データを受信すると、スタッフ承認画面Ｉ１３をベッドサイド端末Ｔａに表示させる。ベッドサイド端末Ｔａは、スタッフＳのスタッフ識別データを管理サーバＳｂへ送信する。
【００９４】
管理サーバＳｂは、ベッドサイド端末Ｔａからスタッフ識別データを受信し、患者登録解除がスタッフ識別データの示すスタッフＳによって承認された場合に、患者認証データ９から受信した患者識別データおよび当該患者識別データに対応する認証データを削除するための処理２０を実行する。第１の実施形態において、管理サーバＳｂは、処理２０の後、ベッドサイド端末Ｔａの画面をスタート画面Ｉ１へ切り替えてもよい。
【００９５】
図５は、第１の実施形態に係る情報処理システム１によって実行される処理の例を示すフローチャートである。
【００９６】
ベッドサイド端末Ｔａは、スタート画面リクエストを管理サーバＳｂへ送信する。管理サーバＳｂは、スタート画面リクエストに応じて、スタート画面Ｉ１用の表示データ７１をベッドサイド端末Ｔａへ送信する。ベッドサイド端末Ｔａは、管理サーバＳｂから表示データ７１を受信し、表示データ７１を表示する。この結果、ベッドサイド端末Ｔａの表示部Ｄ１に、スタート画面Ｉ１が表示される（Ｓ５０１）。
【００９７】
ベッドサイド端末Ｔａは、患者Ｐの指示にしたがって、患者ＩＤ入力リクエストを管理サーバＳｂへ送信する。管理サーバＳｂは、患者ＩＤ入力リクエストに応じて、患者ＩＤ入力画面Ｉ２用の表示データ７２をベッドサイド端末Ｔａへ送信する。ベッドサイド端末Ｔａは、管理サーバＳｂから表示データ７２を受信し、表示データ７２を表示する。この結果、ベッドサイド端末Ｔａの表示部Ｄ１に、患者ＩＤ入力画面Ｉ２が表示される（Ｓ５０２）。
【００９８】
ベッドサイド端末Ｔａは、患者Ｐの指示にしたがって、患者認証リクエストと患者識別データとを管理サーバＳｂへ送信する。管理サーバＳｂは、患者認証リクエストと患者識別データとに応じて、患者認証を実行し、患者認証に成功した場合、患者識別データに対応する患者情報を含むトップ画面Ｉ３用の表示データ７３をベッドサイド端末Ｔａへ送信する。ベッドサイド端末Ｔａは、管理サーバＳｂから表示データ７３を受信し、表示データ７３を表示する。この結果、ベッドサイド端末Ｔａの表示部Ｄ１に、患者情報を含むトップ画面Ｉ３が表示される（Ｓ５０３）。
【００９９】
ベッドサイド端末Ｔａは、患者Ｐから患者情報フローｆ１へ進むための指示、または、スタッフＳからスタッフ機能フローｆ２へ進むための指示を受け付ける。ベッドサイド端末Ｔａは、患者ＰまたはスタッフＳから受け付けた指示に応じて、リクエストを管理サーバＳｂへ送信する。管理サーバＳｂは、リクエストに応じて、患者情報フローｆ１またはスタッフ機能フローｆ２へ進む（Ｓ５０４）。
【０１００】
患者情報フローｆ１において、管理サーバＳｂは、患者情報フローｆ１に属する患者用画面に対応する表示データを、ベッドサイド端末Ｔａへ送信する。ベッドサイド端末Ｔａは、管理サーバＳｂから患者用画面に対応する表示データを受信し、患者用画面に対応する表示データを表示する。この結果、ベッドサイド端末Ｔａの表示部Ｄ１に、例えば、患者情報フローｆ１に属する患者用画面（例えば画面Ｉ４〜Ｉ９のいずれか）が表示される（Ｓ５０５）。
【０１０１】
ベッドサイド端末Ｔａは、患者Ｐの指示を受け付け、指示に応じたリクエストを管理サーバＳｂへ送信する（Ｓ５０６）。
【０１０２】
管理サーバＳｂは、ベッドサイド端末Ｔａから受信したリクエストに応じて、患者Ｐの指示に対応する処理を実行する（Ｓ５０７）。
【０１０３】
管理サーバＳｂは、ベッドサイド端末Ｔａからログアウトのリクエストを受信したか否か判断する（Ｓ５０８）。
【０１０４】
Ｓ５０８において管理サーバＳｂがベッドサイド端末Ｔａからログアウトのリクエストを受信していない場合、管理サーバＳｂは、患者情報を含むトップ画面Ｉ３用の表示データ７３をベッドサイド端末Ｔａへ送信する。ベッドサイド端末Ｔａは、管理サーバＳｂから表示データ７３を受信し、表示データ７３を表示する。この結果、ベッドサイド端末Ｔａの表示部Ｄ１に、トップ画面Ｉ３が表示される（Ｓ５０９）。そして、処理はＳ５０４へ移動する。
【０１０５】
Ｓ５０８において管理サーバＳｂがベッドサイド端末Ｔａからログアウトのリクエストを受信した場合、処理はＳ５２０へ移動する。
【０１０６】
スタッフ機能フローｆ２において、管理サーバＳｂは、スタッフ機能フローｆ２に属するスタッフ用画面に対応する表示データを、ベッドサイド端末Ｔａへ送信する。ベッドサイド端末Ｔａは、管理サーバＳｂからスタッフ用画面に対応する表示データを受信し、スタッフ用画面に対応する表示データを表示する。この結果、ベッドサイド端末Ｔａの表示部Ｄ１に、例えば、スタッフ機能フローｆ２に属するスタッフ用画面（例えば画面Ｉ１０〜Ｉ１２のいずれか）が表示される（Ｓ５１０）。以下においては、例としてベッドサイド端末Ｔａにバイタル入力画面Ｉ１０が表示されたとする。
【０１０７】
ベッドサイド端末Ｔａは、スタッフＳによって入力された入力データ１１を受け付け、入力データ１１を管理サーバＳｂへ送信する（Ｓ５１１）。
【０１０８】
管理サーバＳｂは、ベッドサイド端末Ｔａから入力データ１１を受信すると、入力データ１１を記憶部Ｍ２に記憶させ、スタッフ承認画面Ｉ１３用の表示データを、ベッドサイド端末Ｔａへ送信する。ベッドサイド端末Ｔａは、管理サーバＳｂからスタッフ承認画面Ｉ１３用の表示データを受信し、表示データを表示する。この結果、ベッドサイド端末Ｔａの表示部Ｄ１に、例えば、スタッフ承認画面Ｉ１３が表示される（Ｓ５１２）。
【０１０９】
ベッドサイド端末Ｔａは、スタッフＳの指示にしたがって、承認リクエストとスタッフ識別データとを管理サーバＳｂへ送信する。管理サーバＳｂは、承認リクエストとスタッフ識別データとに基づいて、入力データ１１を承認するか否かを判断する（Ｓ５１３）。
【０１１０】
Ｓ５１３において入力データ１１を承認しない場合、管理サーバＳｂは、承認しないことをスタッフＳへ通知するための表示データを、ベッドサイド端末Ｔａへ送信する。ベッドサイド端末Ｔａは、管理サーバＳｂから承認しないことを通知するための表示データを受信し、表示データを表示する（Ｓ５１４）。そして、処理は、例えばＳ５１２へ移動する。
【０１１１】
Ｓ５１３において入力データ１１を承認する場合、管理サーバＳｂは、ベッドサイド端末Ｔａから受信した入力データ１１に対応する処理１８を実行する（Ｓ５１５）。
【０１１２】
管理サーバＳｂは、ベッドサイド端末Ｔａからログアウトのリクエストを受信したか否か判断する（Ｓ５１６）。
【０１１３】
Ｓ５１６において管理サーバＳｂがベッドサイド端末Ｔａからログアウトのリクエストを受信した場合、処理はＳ５２０へ移動する。
【０１１４】
Ｓ５１６において管理サーバＳｂがベッドサイド端末Ｔａからログアウトのリクエストを受信していない場合、管理サーバＳｂは、Ｓ５１５で実行された処理が患者Ｐの登録を解除するための処理２０か否か判断する。
【０１１５】
Ｓ５１５で処理２０が実行された場合、管理サーバＳｂは、スタート画面Ｉ１用の表示データ７１をベッドサイド端末Ｔａへ送信する。ベッドサイド端末Ｔａは、管理サーバＳｂから表示データ７１を受信し、表示データ７１を表示する。この結果、ベッドサイド端末Ｔａの表示部Ｄ１に、スタート画面Ｉ１が表示される（Ｓ５１８）。そして、処理はＳ５０２へ移動する。
【０１１６】
Ｓ５１５で処理２０ではない処理が実行された場合、管理サーバＳｂは、患者識別データに対応する患者情報を含むトップ画面Ｉ３用の表示データ７３をベッドサイド端末Ｔａへ送信する。ベッドサイド端末Ｔａは、管理サーバＳｂから表示データ７３を受信し、表示データ７３を表示する。この結果、ベッドサイド端末Ｔａの表示部Ｄ１に、患者情報を含むトップ画面Ｉ３が表示される（Ｓ５１９）。そして、処理はＳ５０４へ移動する。
【０１１７】
患者情報フローｆ１またはスタッフ機能フローｆ２において、管理サーバＳｂがベッドサイド端末Ｔａからログアウトのリクエストを受信した場合、管理サーバＳｂはログアウト処理を実行する（Ｓ５２０）。
【０１１８】
以上説明した第１の実施形態においては、患者ＰまたはスタッフＳが入力した入力データ１１をスタッフＳが承認する。第１の実施形態においては、スタッフＳが入力データ１１をベッドサイド端末Ｔａに入力することに先立ってスタッフＳの認証を実行する必要がない。したがって、入力データ１１の収集を早く開始することができ、ベッドサイド端末Ｔａの利便性を向上させることができる。
【０１１９】
第１の実施形態においては、例えばバイタルデータなどのような入力データ１１を、スタッフＳではなく患者Ｐがベッドサイド端末Ｔａへ入力してもよい。この場合、バイタルデータ収集のためにスタッフＳが病院内を移動する機会を減らすことができ、病院内でスタッフＳが感染症に感染する可能性を低くすることができる。
【０１２０】
第１の実施形態において、患者Ｐが入力データ１１を入力する場合、スタッフＳの労力を軽減することができる。
【０１２１】
（第２の実施形態）
ベッドサイド端末Ｔａは、患者ＰとスタッフＳの双方からの入力を受け付け可能である。したがって、患者ＰとスタッフＳの双方に対してベッドサイド端末Ｔａの利便性を高くすることが望まれる。
【０１２２】
第２の実施形態では、患者ＰとスタッフＳの双方にとってベッドサイド端末Ｔａの利便性を高くし、患者ＰおよびスタッフＳの負荷を軽減させる情報処理システムを説明する。
【０１２３】
図６は、第２の実施形態に係る情報処理システム２１の構成の例を示すブロック図である。
【０１２４】
情報処理システム２１は、医療サーバＳａと、管理サーバＳｂと、ベッドサイド端末Ｔａとを備える。なお、医療サーバＳａは上記第１の実施形態で説明されているため、第２の実施形態では医療サーバＳａの説明を省略する。
【０１２５】
管理サーバＳｂの記憶部Ｍ２は、例えば、ソフトウェア６、患者データ８、端末識別データＴ１，Ｔｎ、患者認証データ９、スタッフ認証データ２２、表示データ２３１〜２３ｋ、登録情報２４を記憶する。
【０１２６】
管理サーバＳｂのプロセッサＰ２は、例えば、記憶部Ｍ２に記憶されているソフトウェア６を実行することにより、リクエスト処理部１２、患者認証部１３、スタッフ認証部２５としての機能を実現する。なお、リクエスト処理部１２、患者認証部１３、スタッフ認証部２５は、適宜、組み合わされてもよく、または、分割されてもよい。
【０１２７】
ベッドサイド端末Ｔａの記憶部Ｍ３は、例えば、ソフトウェア１６、表示データ２３１〜２３ｋ、登録情報２４を記憶する。
【０１２８】
以下で、第２の実施形態に係る管理サーバＳｂおよびベッドサイド端末Ｔａを順に説明する。
【０１２９】
まず、管理サーバＳｂを説明する。
【０１３０】
第２の実施形態において、管理サーバＳｂは、患者データ８、端末識別データＴ１，Ｔｎ、患者認証データ９、スタッフ認証データ２２、登録情報２４を管理している。
【０１３１】
管理サーバＳｂは、ベッドサイド端末Ｔａから各種のリクエストを受信し、必要に応じて患者認証またはスタッフ認証を実行し、受信したリクエストまたは認証結果に応じて、表示データ２３１〜２３ｋを生成および記憶し、表示データ２３１〜２３ｋをベッドサイド端末Ｔａへ送信する。
【０１３２】
第２の実施形態において、管理サーバＳｂは、スタッフ認証の後、患者認証を実行する。また、管理サーバＳｂは、患者認証後からログアウトするまでの間においてスタッフ認証を実行しない。
【０１３３】
第２の実施形態において、管理サーバＳｂとベッドサイド端末Ｔａとの間で、登録情報２４が送信および受信される。管理サーバＳｂは、ベッドサイド端末Ｔａから、リクエストおよび登録情報２４を受信した場合に、リクエストおよび登録情報２４に基づいて、例えば患者情報を含む表示データを生成および記憶する。そして、管理サーバＳｂは、生成した表示データをベッドサイド端末Ｔａへ送信する。
【０１３４】
登録情報２４は、ベッドサイド端末Ｔａに表示された患者ＩＤ入力画面Ｉ２に対して入力され、管理サーバＳｂによってユーザ認証が成功した患者識別データなどを含む情報、データ、または、ファイルとしてもよい。登録情報２４は、例えば、トップ画面Ｉ３の生成に使用される情報、データ、または、ファイルとしてもよい。登録情報２４は、例えばＣｏｏｋｉｅなどでもよい。登録情報２４は、例えば、テキストデータとしてもよい。ベッドサイド端末Ｔａと管理サーバＳｂとは、登録情報２４を互いに送受信することで、例えば過去に使用した情報などの様々な情報を利用可能である。
【０１３５】
スタッフ認証データ２２は、ベッドサイド端末Ｔａの使用を許可されているスタッフのスタッフ識別データＳＩＤ１〜ＳＩＤｍと、当該スタッフ識別データＳＩＤ１〜ＳＩＤｍのそれぞれに対応する認証データＳＰ１〜ＳＰｍとを関連付けている。言い換えれば、スタッフ認証データ２２は、認証成功と判断すべきスタッフ識別データと認証データとの組み合わせを含む。
【０１３６】
リクエスト処理部１２は、例えば、ベッドサイド端末ＴａからネットワークＮ２および通信部Ｃ２経由で、リクエストおよび登録情報２４を受信し、リクエストおよび登録情報２４に基づいて、表示データ２３１〜２３ｋを生成し、表示データ２３１〜２３ｋおよび登録情報２４を記憶部Ｍ２に記憶させ、表示データ２３１〜２３ｋおよび登録情報２４を、通信部Ｃ２およびネットワークＮ２経由でベッドサイド端末Ｔａへ送信する。
【０１３７】
例えば、リクエスト処理部１２は、ベッドサイド端末ＴａからネットワークＮ２および通信部Ｃ２経由で、患者認証リクエストと、患者識別データまたは登録情報２４とを受信した場合に、患者認証部１３を用いて患者認証を実行し、患者認証結果に対応する表示データと登録情報２４とを、通信部Ｃ２およびネットワークＮ２経由でベッドサイド端末Ｔａへ送信する。
【０１３８】
例えば、リクエスト処理部１２は、ベッドサイド端末ＴａからネットワークＮ２および通信部Ｃ２経由で、スタッフ認証リクエストと、スタッフ識別データまたは登録情報２４とを受信した場合に、スタッフ認証部２５を用いてスタッフ認証を実行し、スタッフ認証結果に対応する表示データと登録情報２４とを、通信部Ｃ２およびネットワークＮ２経由でベッドサイド端末Ｔａへ送信する。
【０１３９】
例えば、リクエスト処理部１２は、ベッドサイド端末ＴａからネットワークＮ２および通信部Ｃ２経由で、ログアウトリクエストを受信した場合に、ベッドサイド端末Ｔａに対するログアウト処理を実行する。
【０１４０】
例えば、リクエスト処理部１２は、ベッドサイド端末ＴａからネットワークＮ２および通信部Ｃ２経由で、リクエストおよび登録情報２４を受信した場合に、登録情報２４を更新し、更新した登録情報２４を記憶部Ｍ２に記憶させ、リクエストに対するレスポンスおよび更新した登録情報２４を、通信部Ｃ２およびネットワークＮ２経由でベッドサイド端末Ｔａへ送信する。なお、リクエスト処理部１２は、登録情報２４をレスポンスとともにベッドサイド端末Ｔａへ送信しなくてもよい場合もある。言い換えれば、管理サーバＳｂからベッドサイド端末Ｔａへの登録情報２４の提供は、必要な場合に行われるとしてもよい。
【０１４１】
スタッフ認証部２５は、例えば、ベッドサイド端末Ｔａから受信されたスタッフ認証リクエストと、スタッフ識別データとに基づいて、スタッフ認証を実行する。より具体的に説明すると、例えば、スタッフ認証部２５は、スタッフ認証リクエストに対応するスタッフ識別データおよび認証データの組み合わせが、スタッフ認証データ２２に登録されている場合に、認証成功と判断する。スタッフ認証部２５は、スタッフ認証リクエストに対応するスタッフ識別データおよび認証データの組み合わせが、スタッフ認証データ２２に登録されていない場合に、認証失敗と判断する。
【０１４２】
次に、ベッドサイド端末Ｔａを説明する。
【０１４３】
リクエスト処理部１７は、ベッドサイド端末Ｔａを操作する患者ＰまたはスタッフＳから操作受付部Ｒ１経由で、各種の指示を受け付ける。そして、リクエスト処理部１７は、受け付けた指示に応じて、記憶部Ｍ３に記憶されている登録情報２４を更新し、指示に対応するリクエストおよび記憶部Ｍ３に記憶されている登録情報２４を、通信部Ｃ３およびネットワークＮ２経由で管理サーバＳｂへ送信する。ここで、リクエスト処理部１７は、登録情報２４を、リクエストとともにネットワークＮ２経由で管理サーバＳｂへ送信しなくてもよい。言い換えれば、ベッドサイド端末Ｔａから管理サーバＳｂへの登録情報２４の提供は、必要な場合に行われるとしてもよい。
【０１４４】
リクエスト処理部１７は、リクエストに対する応答として、管理サーバＳｂからネットワークＮ２および通信部Ｃ３経由で表示データ２３１〜２３ｋのいずれかおよび登録情報２４を受信し、表示データ２３１〜２３ｋのいずれかおよび登録情報２４を記憶部Ｍ３に記憶させる。そして、リクエスト処理部１７は、記憶部Ｍ３からリードした表示データ２３１〜２３ｋのいずれかを表示部Ｄ１へ表示させるための制御を実行する。
【０１４５】
図７は、第２の実施形態に係るベッドサイド端末Ｔａの画面遷移の例を示す図である。
【０１４６】
図８は、第２の実施形態に係る情報処理システム５６によって実行される処理の例を示すフローチャートである。
【０１４７】
ベッドサイド端末Ｔａは、スタート画面リクエストを管理サーバＳｂへ送信する。管理サーバＳｂは、スタート画面リクエストに応じて、スタート画面Ｉ１用の表示データ２３１をベッドサイド端末Ｔａへ送信する。ベッドサイド端末Ｔａは、管理サーバＳｂから表示データ２３１を受信し、表示データ２３１を表示する。この結果、ベッドサイド端末Ｔａの表示部Ｄ１に、スタート画面Ｉ１が表示される（Ｓ８０１）。
【０１４８】
スタート画面Ｉ１は、カレンダー、トップページボタン２６、スタッフメニューボタン２７を含む。
【０１４９】
ベッドサイド端末Ｔａは、スタート画面Ｉ１に対する患者情報フローｆ１の指定またはスタッフ機能フローｆ２の指定を受け付ける（Ｓ８０２）。患者情報フローｆ１は、患者Ｐの患者情報をベッドサイド端末Ｔａに表示させる画面のフローである。スタッフ機能フローｆ２は、スタッフＳによる各種操作を受け付けるための画面のフローである。
【０１５０】
ベッドサイド端末Ｔａにおいてトップページボタン２６が押下された場合、患者情報フローｆ１が実行される。
【０１５１】
ベッドサイド端末Ｔａは、スタート画面Ｉ１のトップページボタン２６が押下された場合に、患者ＩＤ入力リクエストを管理サーバＳｂへ送信する。管理サーバＳｂは、患者ＩＤ入力リクエストに応じて、患者ＩＤ入力画面Ｉ２用の表示データ２３２をベッドサイド端末Ｔａへ送信する。ベッドサイド端末Ｔａは、管理サーバＳｂから表示データ２３２を受信し、表示データ２３２を表示する。この結果、ベッドサイド端末Ｔａの表示部Ｄ１に、患者ＩＤ入力画面Ｉ２が表示される（Ｓ８０３）。
【０１５２】
患者ＩＤ入力画面Ｉ２は、患者識別データ（患者ＩＤ）の入力領域２８と操作受付領域２９とを含む。なお、患者ＩＤ入力画面Ｉ２と、後で説明するスタッフ認証画面Ｉ１４および患者認証画面Ｉ１５は、パスワードなどの認証データの入力領域を含むとしてもよいが、以下では、説明を簡素化するため、認証データに関する説明は省略する。
【０１５３】
ベッドサイド端末Ｔａは、患者ＩＤ入力画面Ｉ２に対して患者識別データが入力された場合、患者識別データを含む登録情報２４を生成し、登録情報２４を記憶する。そして、ベッドサイド端末Ｔａは、トップ画面リクエストと、登録情報２４または患者識別データとを、管理サーバＳｂへ送信する。管理サーバＳｂは、トップ画面リクエストと、登録情報２４または患者識別データとに応じて患者認証を実行し（Ｓ８０４）、患者認証に成功した場合、トップ画面Ｉ３用の表示データ２３３と登録情報２４とをベッドサイド端末Ｔａへ送信する。ベッドサイド端末Ｔａは、管理サーバＳｂから表示データ２３３と登録情報２４とを受信し、表示データ２３３と登録情報２４とを記憶し、表示データ２３３を表示する。この結果、トップ画面Ｉ３に対応する登録情報２４がベッドサイド端末Ｔａに記憶される（Ｓ８０５）とともに、ベッドサイド端末Ｔａの表示部Ｄ１に、トップ画面Ｉ３が表示される（Ｓ８０６）。
【０１５４】
トップ画面Ｉ３およびトップ画面Ｉ３より後にベッドサイド端末Ｔａに表示される画面は、患者情報を含むため、ベッドサイド端末Ｔａに、患者情報が表示される。ベッドサイド端末Ｔａによる患者情報の表示は、管理サーバＳｂによりログアウト処理が実行されるまで継続される（Ｓ８０７）。
【０１５５】
ここで、ベッドサイド端末Ｔａに表示されているトップ画面Ｉ３またはトップ画面Ｉ３より後にベッドサイト端末Ｔａに表示される画面に対して、患者ＰまたはスタッフＳが、ログアウトを指示したとする（Ｓ８０８）。
【０１５６】
この場合、ベッドサイド端末Ｔａは、ログアウトリクエストを管理サーバＳｂへ送信する。管理サーバＳｂは、ベッドサイド端末Ｔａから受信したログアウトリクエストに応じて、ログアウト処理を実行する（Ｓ８０９）。
【０１５７】
なお、管理サーバＳｂは、ログアウト処理の後、スタート画面Ｉ１用の表示データ２３１をベッドサイド端末Ｔａへ送信してもよい。この場合、処理はＳ８０１に戻り、ベッドサイド端末Ｔａは、表示データ２３１を表示する。この結果、ベッドサイド端末Ｔａの表示部Ｄ１に、スタート画面Ｉ１が表示される。
【０１５８】
ベッドサイド端末Ｔａにおいてスタート画面Ｉ１のスタッフメニューボタン２７が押下された場合、スタッフ機能フローｆ２が実行される。
【０１５９】
ベッドサイド端末Ｔａは、スタッフメニューボタン２７が押下された場合に、スタッフ認証リクエストを管理サーバＳｂへ送信する。管理サーバＳｂは、スタッフ認証リクエストに応じて、スタッフ認証画面Ｉ１４用の表示データ２３４をベッドサイド端末Ｔａへ送信する。ベッドサイド端末Ｔａは、管理サーバＳｂから受信した表示データ２３４を表示する。この結果、ベッドサイド端末Ｔａの表示部Ｄ１に、スタッフ認証画面Ｉ１４が表示される（Ｓ８１０）。
【０１６０】
スタッフ認証画面Ｉ１４は、スタッフ識別データ（スタッフＩＤ）の入力領域３０と操作受付領域３１とを含む。
【０１６１】
ベッドサイド端末Ｔａは、スタッフ認証画面Ｉ１４に対してスタッフ識別データが入力された場合、スタッフ認証リクエストとスタッフ識別データとを、管理サーバＳｂへ送信する。管理サーバＳｂは、ベッドサイド端末Ｔａから受信したスタッフ認証リクエストとスタッフ識別データとに応じてスタッフ認証を実行し（Ｓ８１１）、スタッフ認証に成功した場合、患者認証画面Ｉ１５用の表示データ２３５をベッドサイド端末Ｔａへ送信する。ベッドサイド端末Ｔａは、管理サーバＳｂから受信した表示データ２３５を表示する。この結果、ベッドサイド端末Ｔａの表示部Ｄ１に、患者認証画面Ｉ１５が表示される（Ｓ８１２）。
【０１６２】
患者認証画面Ｉ１５は、患者識別データの入力領域３２と操作受付領域３３とを含む。
【０１６３】
第２の実施形態において、ベッドサイド端末Ｔａは、上記の患者ＩＤ入力画面Ｉ２に入力されユーザ認証に成功した患者識別データを含む登録情報２４を所有している場合、登録情報２４に基づいて、患者識別データの入力領域３２に対して、患者ＩＤ入力画面Ｉ２に入力されユーザ認証に成功した患者識別データをセットしてもよい。
【０１６４】
ベッドサイド端末Ｔａは、患者認証画面Ｉ１５上で患者識別データが決定された場合、患者認証リクエストと患者識別データとを、管理サーバＳｂへ送信する。管理サーバＳｂは、患者認証リクエストと患者識別データとに応じて患者認証を実行し（Ｓ８１３）、患者認証に成功した場合、スタッフメニュー画面Ｉ１６用の表示データ２３６をベッドサイド端末Ｔａへ送信する。ベッドサイド端末Ｔａは、管理サーバＳｂから受信した表示データ２３６を表示する。この結果、ベッドサイド端末Ｔａの表示部Ｄ１に、スタッフメニュー画面Ｉ１６が表示される（Ｓ８１４）。
【０１６５】
ベッドサイド端末Ｔａは、スタッフメニュー画面Ｉ１６に対するスタッフＳの指示を受け付ける（Ｓ８１５）。
【０１６６】
スタッフＳは、スタッフメニュー画面Ｉ１６に対して、スタッフ機能フローｆ２に属する処理の実行を指示したとする。
【０１６７】
この場合、ベッドサイド端末Ｔａは、管理サーバＳｂと協働して、例えば、患者の解除・変更、患者情報の編集、患者のバイタルデータの入力、離床報告などのスタッフ用の画面Ｉ１７を表示する（Ｓ８１６）。スタッフ機能フローｆ２では、画面Ｉ１７からスタッフメニュー画面Ｉ１６へ戻ることも可能である。
【０１６８】
スタッフＳは、スタッフメニュー画面Ｉ１６または画面Ｉ７に対して、ログアウトを指示したとする（Ｓ８１７）。
【０１６９】
この場合、ベッドサイド端末Ｔａは、ログアウトリクエストを管理サーバＳｂへ送信する。管理サーバＳｂは、ベッドサイド端末Ｔａから受信したログアウトリクエストに応じて、ログアウト処理を実行する（Ｓ８０９）。
【０１７０】
スタッフＳが、スタッフメニュー画面Ｉ１６、または、画面Ｉ１７に対して、ログアウトを指示しない場合（Ｓ８１７）、管理サーバＳｂは、ベッドサイド端末Ｔａに、スタッフメニュー画面Ｉ１６を表示させ、処理はＳ８１５に戻る。
【０１７１】
スタッフＳが、上記のＳ８１５におけるスタッフメニュー画面Ｉ１６、または、画面Ｉ１７に対して、トップ画面Ｉ３の表示を指示したとする。
【０１７２】
この場合、ベッドサイド端末Ｔａは、トップ画面リクエストと、トップ画面Ｉ３を表示するために必要となる登録情報２４とを、管理サーバＳｂへ送信する（Ｓ８１８）。
【０１７３】
管理サーバＳｂは、トップ画面リクエストと登録情報６０とに応じて、トップ画面Ｉ３用の表示データ２３３をベッドサイド端末Ｔａへ送信する。ベッドサイド端末Ｔａは、管理サーバＳｂから受信した表示データ２３３を表示する。この結果、ベッドサイド端末Ｔａの表示部Ｄ１に、トップ画面Ｉ３が表示される（Ｓ８０６）。
【０１７４】
なお、ベッドサイド端末Ｔａは、スタッフ機能フローｆ２においてスタッフＳからトップ画面Ｉ３の表示が指示された場合に、登録情報２４に基づいて、ベッドサイド端末Ｔａの記憶部Ｍ３に記憶済みの表示データ２３３を表示してもよい。
【０１７５】
このような画面遷移および処理を実行する第２の実施形態においては、スタッフメニュー画面Ｉ１６またはスタッフメニュー画面Ｉ１６より後にベッドサイト端末Ｔａに表示される例えば画面Ｉ１７から、トップ画面Ｉ３へ遷移する場合、管理サーバＳｂは、患者認証を実行しなくてもよい。そして、トップ画面Ｉ３がベッドサイド端末Ｔａに表示された後、ログアウトが実行されるまで、管理サーバＳｂはスタッフ認証を実行しない。
【０１７６】
以上説明した第２の実施形態においては、スタート画面Ｉ１で患者情報フローｆ１またはスタッフ機能フローｆ２のいずれかが選択される。第２の実施形態においては、患者認証の後、ログアウトをすることなくスタッフ認証が実行されることはない。
【０１７７】
第２の実施形態においては、患者情報の閲覧のための操作と、スタッフによる操作の受け付けとを明確に区別することができ、患者ＰまたはスタッフＳによる誤操作を防止することができ、患者ＰおよびスタッフＳの負荷を軽減して作業効率を向上させ、ベッドサイド端末Ｔａの利便性を向上させることができる。
【０１７８】
第２の実施形態においては、登録情報２４を用いることにより、例えばスタッフメニュー画面Ｉ１６または画面Ｉ１７から患者認証を実行することなく患者情報を含むトップ画面Ｉ３などへ容易に遷移することができる。すなわち、スタッフＳは、スタッフ機能フローｆ２から容易に患者情報フローｆ１へ切り替えることができる。したがって、スタッフＳに対してベッドサイド端末Ｔａの利便性を向上させることができる。
【０１７９】
（第３の実施形態）
第３の実施形態においては、管理サーバＳｂが、患者データ８とともに、入力データ１１および付加データを管理し、入力データ１１に基づいて医療サーバＳａの電子カルテ３を更新し、付加データに含まれている情報をベッドサイド端末に送信する情報処理システムを説明する。第３の実施形態は、上記第１の実施形態または上記第２の実施形態と組み合わせてもよい。
【０１８０】
図９は、第３の実施形態に係る情報処理システム３４の例を示すブロック図である。
【０１８１】
情報処理システム３４は、医療サーバＳａと、管理サーバＳｂと、ベッドサイド端末Ｔａと、管理端末Ｔｂとを備える。医療サーバＳａと、管理サーバＳｂと、ベッドサイド端末Ｔａと、管理端末Ｔｂとは、例えば専用回線、インターネット、または、ＬＡＮ（Local Area Network）などのようなネットワークＮ経由で他の装置と通信可能である。以下においては、説明を簡略化するため、ネットワークＮを省略して説明する場合がある。
【０１８２】
具体的には、情報処理システム３４において、管理サーバＳｂは、医療サーバＳａ、ベッドサイド端末Ｔａ、および、管理端末Ｔｂと通信可能である。
【０１８３】
管理端末Ｔｂは、例えばコンピュータまたは情報処理装置である。
【０１８４】
管理サーバＳｂの記憶部Ｍ２は、例えば、ソフトウェア６、患者データ８、端末識別データＴ１〜Ｔｎ、表示データ３５１〜３５ｋ、入力データ１１、付加データ３６を記憶する。
【０１８５】
管理端末Ｔｂは、例えば、通信部Ｃ４、操作受付部Ｒ２、表示部Ｄ２、記憶部Ｍ４、プロセッサＰ４などを備える。
【０１８６】
記憶部Ｍ４は、例えば、ソフトウェア３７、表示データ３５１、付加データ３６を記憶する。
【０１８７】
プロセッサＰ４は、例えば、記憶部Ｍ４に記憶されているソフトウェア３７を実行することにより、リクエスト処理部３８としての機能を実現する。ソフトウェア３７は、例えば、ＯＳ、ブラウザなどを含むとしてもよい。
【０１８８】
ベッドサイド端末Ｔａの記憶部Ｍ３は、例えば、ソフトウェア１６、表示データ３５２〜３５４、入力データ１１を記憶する。
【０１８９】
以下で、第３の実施形態に係る管理端末Ｔｂ、管理サーバＳｂ、ベッドサイド端末Ｔａの連携動作を説明する。
【０１９０】
管理端末Ｔｂのリクエスト処理部３８は、スタッフＳの指示を操作受付部Ｒ２経由で受け付け、患者管理リクエストを通信部Ｃ４経由で管理サーバＳｂへ送信する。
【０１９１】
管理サーバＳｂのリクエスト処理部１２は、管理端末Ｔｂから通信部Ｃ２経由で患者管理リクエストを受信すると、患者管理画面用の表示データ３５１を記憶部Ｍ２からリードし、表示データ３５１を通信部Ｃ２経由で管理端末Ｔｂへ送信する。
【０１９２】
管理端末Ｔｂのリクエスト処理部３８は、管理サーバＳｂから通信部Ｃ４経由で患者管理画面用の表示データ３５１を受信すると、表示データ３５１を記憶部Ｍ４に記憶させる。そして、リクエスト処理部３８は、記憶部Ｍ４に記憶されている表示データ３５１を表示部Ｄ２に表示させる。
【０１９３】
図１０は、管理端末Ｔｂによって表示された患者管理画面Ｉ１８の例を示す図である。
【０１９４】
患者管理画面Ｉ１８は、医療機関と患者との間で締結された契約内容を設定するための画面である。患者管理画面Ｉ１８は、患者ごとに入院セットの種類を指定する部分３９と、患者ごとにテレビジョン、冷蔵庫、洗濯機、その他のアメニティに関する契約内容（使用の有無、定額制か否か）を指定する部分４０とを含む。
【０１９５】
入院セットは、例えば、患者の入院中に、患者にレンタルされるおむつ、所定のサイズの病衣などを含む。
【０１９６】
管理端末Ｔｂのリクエスト処理部３８は、スタッフＳの指示を操作受付部Ｒ２経由で受け付け、患者ごとの入院セットの種類および患者ごとのテレビジョン、冷蔵庫、洗濯機の使用の有無を含む付加データ３６を記憶部Ｍ４に記憶させ、記憶部Ｍ４に記憶されている付加データ３６を通信部Ｃ４経由で管理サーバＳｂへ送信する。
【０１９７】
管理サーバＳｂのリクエスト処理部１２は、管理端末Ｔｂから通信部Ｃ２経由で付加データ３６を受信すると、記憶部Ｍ２に付加データ３６を記憶させる。
【０１９８】
ベッドサイド端末Ｔａのリクエスト処理部１７は、患者ＰまたはスタッフＳの指示を操作受付部Ｒ１経由で受け付け、トップ画面リクエストおよび患者識別データを通信部Ｃ３経由で管理サーバＳｂへ送信する。
【０１９９】
管理サーバＳｂのリクエスト処理部１２は、ベッドサイド端末Ｔａから通信部Ｃ２経由でトップ画面リクエストおよび患者識別データを受信する。すると、リクエスト処理部１２は、患者データ８から患者識別データに対応する患者情報をリードし、付加データ３６から患者識別データに対応する付加情報をリードし、患者情報と付加情報とを含むトップ画面Ｉ３用の表示データ３５２を生成する。そして、リクエスト処理部１２は、表示データ３５２を記憶部Ｍ３に記憶させ、記憶部Ｍ３に記憶されている表示データ３５２を通信部Ｃ２経由でベッドサイド端末Ｔａへ送信する。
【０２００】
ベッドサイド端末Ｔａのリクエスト処理部１７は、管理サーバＳｂから通信部Ｃ３経由で表示データ３５２を受信すると、表示データ３５２を記憶部Ｍ３に記憶させる。そして、リクエスト処理部１７は、表示データ３５２を表示部Ｄ１に表示させる。この結果、ベッドサイド端末Ｔａの表示部Ｄ１に、患者情報と付加情報とを含むトップ画面Ｉ３が表示される。
【０２０１】
図１１は、ベッドサイド端末Ｔａによって表示されたトップ画面Ｉ３の例を示す図である。
【０２０２】
トップ画面Ｉ３は、患者Ｐに対応する入院セットの種類と、患者Ｐに対応するテレビジョン、冷蔵庫、洗濯機の使用の有無とを表記する部分４１を含む。
【０２０３】
以下において、図１２ないし図１６を用いて、管理端末Ｔｂを用いてスタッフＳが患者Ｐによるバイタルデータの入力を指示し、ベッドサイド端末Ｔａを用いて患者Ｐがバイタルデータを入力する情報処理システム３４を説明する。
【０２０４】
管理端末Ｔｂのリクエスト処理部３８は、スタッフＳの指示を操作受付部Ｒ２経由で受け付け、患者管理リクエストを通信部Ｃ４経由で管理サーバＳｂへ送信する。
【０２０５】
管理サーバＳｂのリクエスト処理部１２は、管理端末Ｔｂから通信部Ｃ２経由で患者管理リクエストを受信すると、患者管理画面Ｉ１８用の表示データ３５１を記憶部Ｍ２からリードし、表示データ３５１を通信部Ｃ２経由で管理端末Ｔｂへ送信する。
【０２０６】
管理端末Ｔｂのリクエスト処理部３８は、管理サーバＳｂから通信部Ｃ４経由で表示データ３５１を受信すると、表示データ３５１を記憶部Ｍ４に記憶させる。そして、リクエスト処理部３８は、記憶部Ｍ４に記憶されている表示データ３５１を表示部Ｄ２に表示させる。この結果、図１３に示すような患者管理画面Ｉ１８が表示される（Ｓ１２０１）。
【０２０７】
図１３は、管理端末Ｔｂによって表示される患者管理画面Ｉ１８の変化状態の例を示す図である。
【０２０８】
患者管理画面Ｉ１８は、ベッドサイド端末Ｔａの表示画面を、バイタル入力画面Ｉ１０へ変更する指示を受け付けるための部分４２を含む。部分４２は、患者ごとの入力画面表示ボタン４３を含む。
【０２０９】
スタッフＳは、患者Ｐにベッドサイド端末Ｔａを用いてバイタルデータを入力させる場合に、管理端末Ｔｂに表示されており患者Ｐに対応する入力画面表示ボタン４３を押下する。
【０２１０】
すると、管理端末Ｔｂのリクエスト処理部３８は、操作受付部Ｒ２経由で、患者Ｐに対応する入力画面表示ボタン４３の押下、すなわち入力画面表示の指示を受け付ける（Ｓ１２０２）。
【０２１１】
管理端末Ｔｂのリクエスト処理部３８は、入力画面表示ボタン４３の押下を受け付けると、ベッドサイド端末Ｔａにバイタル入力画面Ｉ１０を表示させることをスタッフＳに承認させるためのウィンドウ４４を、表示部Ｄ２に表示させる。
【０２１２】
スタッフＳは、ベッドサイド端末Ｔａにバイタル入力画面Ｉ１０を表示させることの承認をウィンドウ４４に対して行ったとする。
【０２１３】
すると、管理端末Ｔｂのリクエスト処理部３８は、操作受付部Ｒ２経由でスタッフＳの承認を受け付け、入力リクエストおよび患者識別データを通信部Ｃ４経由で管理サーバＳｂへ送信する（Ｓ１２０３）。
【０２１４】
管理サーバＳｂのリクエスト処理部１２は、管理端末Ｔｂから通信部Ｃ２経由で入力リクエストおよび患者識別データを受信する（Ｓ１２０４）。
【０２１５】
すると、管理サーバＳｂのリクエスト処理部１２は、入力リクエストに対応するバイタル入力画面Ｉ１０用の表示データ３５２を記憶部Ｍ２からリードし、表示データ３５２を通信部Ｃ２経由で患者識別データに対応するベッドサイド端末Ｔａへ送信する。
【０２１６】
第３の実施形態において、管理サーバＳｂのリクエスト処理部１２は、管理端末Ｔｂから入力リクエストを受信したことをトリガとして、バイタル入力画面Ｉ１０用の表示データ３５２をベッドサイド端末Ｔａへ送信している。しかしながら、管理サーバＳｂのリクエスト処理部１２は、記憶部Ｍ２に記憶されている患者データ８または付加データ３６に含まれている患者Ｐのスケジュール情報に基づいて、バイタル入力の実行タイミングを経過したと判断した場合に、バイタル入力画面Ｉ１０用の表示データ３５２をベッドサイド端末Ｔａへ送信してもよい。
【０２１７】
ベッドサイド端末Ｔａのリクエスト処理部１７は、管理サーバＳｂから通信部Ｃ３経由で表示データ３５２を受信すると、表示データ３５２を記憶部Ｍ３に記憶させる。そして、リクエスト処理部１７は、記憶部Ｍ３に記憶されている表示データ３５２を表示部Ｄ１に表示させる。この結果、図１４に示すようなバイタル入力画面Ｉ１０が表示される（Ｓ１２０５）。
【０２１８】
図１４は、ベッドサイド端末Ｔａにおけるトップ画面Ｉ３からバイタル入力画面Ｉ１０への変化の例を示す図である。
【０２１９】
ベッドサイド端末Ｔａは、例えばトップ画面Ｉ３などの画面を表示している状態であっても、管理サーバＳｂからバイタル入力画面Ｉ１０用の表示データ３５２を受信すると、表示データ３５２に基づいてバイタル入力画面Ｉ１０を表示する。
【０２２０】
図１５は、患者Ｐによるバイタルデータの入力の例を示す図である。
【０２２１】
患者Ｐは、ベッドサイド端末Ｔａにバイタル入力画面Ｉ１０が表示された場合に、ベッドサイト端末Ｔａの操作受付部Ｒ１を用いて、または、バイタルデータの測定デバイス４５ａおよびデータリーダ４５ｂを用いて、ベッドサイド端末Ｔａに対してバイタルデータを入力する。
【０２２２】
例えば、測定デバイス４５ａをデータリーダ４５ｂへかざすことにより、バイタルデータは、測定デバイス４５ａからデータリーダ４５ｂへ移動する。データリーダ４５ｂは、ベッドサイド端末Ｔａへバイタルデータを送信する。測定デバイス４５ａとデータリーダ４５ｂとの間の通信、または、データリーダ４５ｂとベッドサイド端末Ｔａとの間の通信として、例えば近距離無線通信が使用されてもよい。
【０２２３】
ベッドサイド端末Ｔａのリクエスト処理部１７は、患者Ｐによって入力されたバイタルデータを受け付ける（Ｓ１２０６）。
【０２２４】
ベッドサイド端末Ｔａのリクエスト処理部１７は、入力されたバイタルデータを含む入力データ１１を記憶部Ｍ３に記憶させ、患者Ｐにバイタルデータを確認させるために、入力されたバイタルデータをバイタル入力画面Ｉ１０に組み込んで表示部Ｄ１に表示させる。
【０２２５】
患者Ｐは、ベッドサイド端末Ｔａの操作受付部Ｒ１を用いて、バイタル入力画面Ｉ１０上の送信ボタンを押下する。
【０２２６】
すると、ベッドサイド端末Ｔａのリクエスト処理部１７は、入力データ１１および患者識別データを通信部Ｃ３経由で管理サーバＳｂへ送信する（Ｓ１２０７）。
【０２２７】
管理サーバＳｂのリクエスト処理部１２は、ベッドサイド端末Ｔａから通信部Ｃ２経由で入力データ１１および患者識別データを受信する（Ｓ１２０８）。
【０２２８】
すると、管理サーバＳｂのリクエスト処理部１２は、入力データ１１と患者識別データとを関連付けて記憶部Ｍ２に記憶させる（Ｓ１２０９）。記憶部Ｍ２は、入力データ１１を一時的に保存するとしてもよい。
【０２２９】
そして、管理サーバＳｂのリクエスト処理部１２は、入力データ１１と患者識別データとを通信部Ｃ２経由で管理端末Ｔｂへ送信する。
【０２３０】
管理端末Ｔｂのリクエスト処理部３８は、管理サーバＳｂから通信部Ｃ４経由で入力データ１１と患者識別データとを受信する。
【０２３１】
図１６は、管理端末Ｔｂにおけるバイタルデータの承認の例を示す図である。
【０２３２】
管理端末Ｔｂのリクエスト処理部３８は、入力データ１１と患者識別データとを受信すると、患者識別データで特定される患者Ｐに対応する位置に、測定値確認ボタン４６を配置した患者管理画面Ｉ１８を、表示部Ｄ２に表示させる。
【０２３３】
管理端末Ｔｂのリクエスト処理部３８は、スタッフＳから操作受付部Ｒ２経由で測定値確認ボタン４６の押下を受け付けた場合に、入力データ１１に含まれているバイタルデータをスタッフＳに確認させ、バイタルデータを電子カルテ３へ登録することをスタッフＳに承認させるためのウィンドウ４７を、表示部Ｄ２に表示させる（Ｓ１２１０）。
【０２３４】
スタッフＳは、バイタルデータを電子カルテ３へ登録することの承認をウィンドウ４７に対して行ったとする。
【０２３５】
管理端末Ｔｂのリクエスト処理部３８は、操作受付部Ｒ２経由で承認を受け付け（Ｓ１２１１）、承認リクエストおよび患者識別データを通信部Ｃ４経由で管理サーバＳｂへ送信する（Ｓ１２１２）。
【０２３６】
管理サーバＳｂのリクエスト処理部１２は、管理端末Ｔｂから通信部Ｃ２経由で承認リクエストおよび患者識別データを受信する（Ｓ１２１３）。
【０２３７】
すると、管理サーバＳｂのリクエスト処理部１２は、更新リクエスト、入力データ１１、患者識別データを、通信部Ｃ２経由で医療サーバＳａへ送信する。また、リクエスト処理部１２は、入力データ１１、患者識別データに基づいて、記憶部Ｍ２に記憶されている患者データ８を更新してもよい。
【０２３８】
医療サーバＳａの編集部４は、管理サーバＳｂから通信部Ｃ１経由で、更新リクエスト、入力データ１１、患者識別データを受信した場合に、入力データ１１および患者識別データに基づいて、例えば電子カルテ３における患者識別データに対応するバイタルデータを更新する（Ｓ１２１４）。
【０２３９】
以下において、図１７および図１８を用いて、管理サーバＳｂに記憶される付加データ３６を説明する。
【０２４０】
図１７は、付加データ３６を設定するために、ベッドサイド端末Ｔａに表示される設定画面Ｉ１９の第１の例を示す図である。設定画面Ｉ１９は、患者の活動度を設定するための画面である。
【０２４１】
図１８は、付加データ３６を設定するために、ベッドサイド端末Ｔａに表示される設定画面Ｉ２０の第２の例を示す図である。設定画面Ｉ２０は、患者の心不全離床プログラムを設定するための画面である。
【０２４２】
第３の実施形態において、上記の設定画面Ｉ１９，Ｉ２０を用いて実行される付加データ３６の設定は、ベッドサイド端末Ｔａにより行われる場合を例に説明するが、管理端末Ｔｂにより行われてもよい。
【０２４３】
ベッドサイド端末Ｔａのリクエスト処理部１７は、スタッフＳの指示を操作受付部Ｒ１経由で受け付け、設定画面リクエストを通信部Ｃ３経由で管理サーバＳｂへ送信する。
【０２４４】
管理サーバＳｂのリクエスト処理部１２は、ベッドサイド端末Ｔａから通信部Ｃ２経由で設定画面リクエストを受信すると、設定画面Ｉ１９または設定画面Ｉ２０用の表示データ３５３を記憶部Ｍ２からリードし、表示データ３５３を通信部Ｃ２経由でベッドサイド端末Ｔａへ送信する。
【０２４５】
ベッドサイド端末Ｔａのリクエスト処理部１７は、管理サーバＳｂから通信部Ｃ３経由で表示データ３５３を受信すると、表示データ３５３を記憶部Ｍ３に記憶させる。そして、リクエスト処理部１７は、表示データ３５３を表示部Ｄ３に表示させる。この結果、図１７に示すような設定画面Ｉ１９または図１８に示すような設定画面Ｉ２０が表示される。
【０２４６】
スタッフＳは、設定画面Ｉ１９または設定画面Ｉ２０を表示しているベッドサイド端末Ｔａを用いて設定を行う。
【０２４７】
すると、ベッドサイド端末Ｔａのリクエスト処理部１７は、操作受付部Ｒ１経由で設定画面Ｉ１９または設定画面Ｉ２０に対する設定を受け付け、設定リクエストと設定データと患者識別データとを、通信部Ｃ３経由で管理サーバＳｂへ送信する。
【０２４８】
管理サーバＳｂのリクエスト処理部１２は、ベッドサイド端末Ｔａから通信部Ｃ２経由で設定リクエストと設定データと患者識別データとを受信すると、設定データと患者識別データとに基づいて、付加データ３６を更新する。
【０２４９】
リクエスト処理部１２は、更新後の付加データ３６に基づいて、例えば、表示データ３５１〜３５ｋなどを更新してもよい。
【０２５０】
図１９は、ベッドサイド端末Ｔａによって表示されるクリニカルパス（クリティカルパス）４８の例を示す図である。
【０２５１】
第３の実施形態では、患者に対する治療・説明に用いられるクリニカルパス４８は、患者識別データと関連付けて付加データ３６に含まれている場合を例として説明する。しかしながら、クリニカルパス４８は、例えば患者データ８に含まれるとしてもよい。また、クリニカルパス４８は、管理端末Ｔｂにおいて表示可能としてもよい。
【０２５２】
ベッドサイド端末Ｔａのリクエスト処理部１７は、スタッフＳまたは患者Ｐの指示を操作受付部Ｒ１経由で受け付け、クリニカルパスリクエストと患者識別データとを通信部Ｃ３経由で管理サーバＳｂへ送信する。
【０２５３】
管理サーバＳｂのリクエスト処理部１２は、ベッドサイド端末Ｔａから通信部Ｃ２経由でクリニカルパスリクエストと患者識別データとを受信すると、患者識別データに対応するクリニカルパス４８を記憶部Ｍ２の付加データ３６の中からリードし、患者識別データに対応するクリニカルパス４８を含む表示データ３５４を通信部Ｃ２経由でベッドサイド端末Ｔａへ送信する。
【０２５４】
ベッドサイド端末Ｔａのリクエスト処理部１７は、管理サーバＳｂから通信部Ｃ３経由で表示データ３５４を受信すると、表示データ３５４を記憶部Ｍ３に記憶させる。そして、リクエスト処理部１７は、表示データ３５４を表示部Ｄ３に表示させる。この結果、図１９に示すようなクリニカルパス４８が表示される。
【０２５５】
以下において、図２０および図２２を用いて、ナースコールシステムとして利用可能であり、ベッドサイド端末Ｔａと管理端末Ｔｂとの間でメッセージが送受信される情報処理システム３４を説明する。メッセージの送受信は、ベッドサイド端末Ｔａと管理端末Ｔｂとの間で実行されてもよく、例えば管理サーバＳｂがベッドサイド端末Ｔａと管理端末Ｔｂとの間でメッセージを中継してもよい。
【０２５６】
図２０は、ベッドサイド端末Ｔａを用いてナースコールを実行可能なトップ画面Ｉ３の例を示す図である。
【０２５７】
トップ画面Ｉ３は、ナースコールボタン４９を含む。患者Ｐは、ナースコールをしたい場合に、ナースコールボタン４９を押下する。
【０２５８】
ベッドサイド端末Ｔａのリクエスト処理部１７は、操作受付部Ｒ１経由でナースコールボタン４９の押下を受け付けた場合に、ナースコールリクエスト、患者識別データまたは端末識別データを通信部Ｃ３経由で管理サーバＳｂへ送信する。
【０２５９】
管理サーバＳｂのリクエスト処理部１２は、管理端末Ｔｂから通信部Ｃ２経由でナースコールリクエスト、患者識別データまたは端末識別データを受信すると、患者識別データまたは端末識別データで特定されるベッドサイド端末Ｔａと、ナースコールを受け付ける管理端末Ｔｂとの間で、メッセージの送受信を実現させるための制御を実行する。
【０２６０】
図２１は、ベッドサイド端末Ｔａと管理端末Ｔｂとの間で送受信されたメッセージＭＳ１〜ＭＳ３の表示の例を示す図である。
【０２６１】
この図２１で示すように、例えば、メッセージＭＳ１〜ＭＳ３がベッドサイド端末Ｔａと管理端末Ｔｂとの間で送受信され、メッセージＭＳ１〜ＭＳ３がベッドサイド端末Ｔａと管理端末Ｔｂによって表示される。
【０２６２】
図２２は、管理サーバＳｂで管理されている患者データ８または付加データ３６が患者のスケジュール情報を含み、スケジュール情報に基づいて自動でナースコールを実行した場合のメッセージＭＳ４〜ＭＳ６の表示例を示す図である。
【０２６３】
管理サーバＳｂは、患者データ８または付加データ３６に含まれているスケジュール情報に基づいて、メッセージＭＳ４，ＭＳ５を、ベッドサイド端末Ｔａと管理端末Ｔｂとに送信する。
【０２６４】
メッセージＭＳ４は、例えば、病棟、病室、ベッド番号、患者識別データなどを含む。メッセージＭＳ５は、イベントの内容を含む。
【０２６５】
ベッドサイド端末Ｔａと管理端末Ｔｂとは、管理サーバＳｂからスケジュール情報に基づいて発行されたメッセージＭＳ４，ＭＳ５を表示する。その後、ベッドサイド端末Ｔａと管理端末Ｔｂは、例えばメッセージＭＳ６などを一方から他方へ送受信し、表示する。
【０２６６】
以上説明した第３の実施形態において、例えば看護師などのスタッフＳは、患者Ｐの入院セットの種類などの契約内容を、ベッドサイド端末Ｔａに表示されている画面から容易に認識することができ、患者Ｐに対して適切に入院セットを供給することができる。
【０２６７】
第３の実施形態において、例えば、スタッフＳは、患者Ｐのテレビジョン、冷蔵庫、洗濯機、その他のアメニティに関する契約内容を、ベッドサイド端末Ｔａに表示されている画面から容易に認識することができ、スタッフの管理労力を軽減することができる。
【０２６８】
したがって、第３の実施形態においては、患者ＰおよびスタッフＳに対してベッドサイド端末Ｔａの利便性を向上させることができる。
【０２６９】
第３の実施形態において、スタッフＳは、管理端末Ｔｂを操作し、ベッドサイド端末Ｔａに対してバイタル入力画面Ｉ１０を表示させる。患者Ｐは、バイタルデータをベッドサイド端末Ｔａに入力し、バイタルデータを管理サーバＳｂへ送信する。第３の実施形態において、スタッフＳは、患者Ｐの病室に行かなくても、ベッドサイド端末Ｔａに対応する患者Ｐに対してバイタルデータの入力を促すことができる。患者Ｐは、自分で例えばバイタルデータを測定し、測定したバイタルデータなどを含む入力データ１１をベッドサイド端末Ｔａへ入力し、入力データ１１を管理サーバＳｂへ送信することができる。
【０２７０】
したがって、第３の実施形態においては、スタッフＳの病院内の移動を抑制することができ、スタッフＳが感染症へ感染する可能性を低くすることができる。
【０２７１】
第３の実施形態において、管理サーバＳｂは、記憶部Ｍ２に記憶されている患者データ８または付加データ３６に含まれている患者Ｐのスケジュール情報に基づいて、ベッドサイド端末Ｔａに対してバイタル入力画面Ｉ１０を表示させてもよい。この場合、患者Ｐによるバイタルデータの入力を、自動で患者Ｐに通知することができる。
【０２７２】
第３の実施形態において、患者ＰまたはスタッフＳは、ベッドサイド端末Ｔａを用いてベッドサイド端末Ｔａの設定を更新することができる。
【０２７３】
したがって、第３の実施形態においては、患者ＰおよびスタッフＳに対してベッドサイド端末の利便性を向上させることができる。
【０２７４】
例えば、スタッフＳは、入院前または入院時に，患者Ｐに対して、治療内容等を標準化したクリニカルパス４８を使って説明する場合がある。この説明は詳細、かつ、正確であることが望ましい。第３の実施形態において、患者ＰまたはスタッフＳは、ベッドサイド端末Ｔａを用いて患者Ｐに関するクリニカルパス４８を、容易に、かつ、迅速に、確認することができる。スタッフＳは、治療の内容を詳細、かつ、正確に、患者Ｐに説明することができる。第３の実施形態に係るベッドサイド端末Ｔａは、クリニカルパス４８を患者、診療科、病名などと関連付けて表示することができる。クリニカルパス４８を表示可能なベッドサイド端末Ｔａは、チーム医療を支援することができ、医療サービスの質を向上させることができる。
【０２７５】
第３の実施形態においては、ベッドサイド端末Ｔａと管理端末Ｔｂとの間でメッセージを交換することによりナースコールを実現することができる。第３の実施形態においては、患者Ｐは、ベッドサイド端末Ｔａに表示された画面上のナースコールボタン４９を押下する。ナースコールが発生した場合に、ベッドサイド端末Ｔａは、看護師などが対応に向かう時間などを表示可能であり、管理端末Ｔｂは、患者の状態などを表示可能である。ベッドサイド端末Ｔａを用いてナースコールを実現することにより、病室に騒音が生じることを防止することができ、聴力の低い患者Ｐのナースコールを支援することができる。
【０２７６】
第３の実施形態においては、患者Ｐのスケジュール情報に基づいてナースコールが自動発信される。管理サーバＳｂは、例えば検査時間の迫った項目に対応するナースコールを行う。これにより、患者Ｐのスケジュール情報にそった措置を確実に行うことができる。
【０２７７】
上記の各実施形態において、情報処理システム１，２１，３４が介護分野（介護施設）に適用される場合、患者Ｐは被介護者であり、スタッフＳは介護職員などである。
【０２７８】
なお、本願発明は、上記各実施形態そのままに限定されるものではなく、実施段階ではその要旨を逸脱しない範囲で構成要素を変形して具現化できる。また、上記各実施形態に開示されている複数の構成要素の適宜な組み合わせにより種々の発明を形成できる。例えば、各実施形態に示される全構成要素から幾つかの構成要素を削減してもよい。更に、異なる実施形態に亘る構成要素を適宜組合せてもよい。
【符号の説明】
【０２７９】
１，２１，３４…情報処理システム、Ｓａ…医療サーバ、Ｓｂ…管理サーバ、Ｔａ…ベッドサイド端末、Ｔｂ…管理端末、Ｃ１〜Ｃ４…通信部、Ｍ１〜Ｍ４…記憶部、Ｐ１〜Ｐ４…プロセッサ、２，６，１６，３７…ソフトウェア、３…電子カルテ、４…編集部、５…データ検索部、７１〜７ｋ，２３１〜２３ｋ，３５１〜３５ｋ…表示データ、８…患者データ、ＰＩ１〜ＰＩｎ…患者情報、ＰＩＤ１〜ＰＩＤｎ…患者識別データ、Ｔ１，Ｔｎ…端末識別データ、１２，１７，３８…リクエスト処理部、９…患者認証データ、１０…承認データ、１１…入力データ、２４…登録情報、３６…付加データ
【要約】
【課題】  ベッドサイド端末の利便性を向上させる。
【解決手段】  情報処理装置は、プロセッサと記憶部とを備える。プロセッサは、患者が使用する第１の端末と、医療従事者が使用する第２の端末と、電子カルテを管理する医療情報システムと通信可能である。記憶部は、医療情報システムによって管理されている電子カルテのうちの少なくとも一部を含む患者データを記憶する。プロセッサは、第１の端末に、記憶部に記憶されている患者データに基づいて生成された画面を表示させ、第２の端末から患者に対するバイタル入力リクエストを受信し、第１の端末に、バイタル入力リクエストに対応するバイタル入力画面を表示させ、第１の端末から患者によって入力されたバイタルデータを受信し、バイタルデータを記憶部に記憶させ、第２の端末からバイタルデータに対する承認を受信した場合に、バイタルデータに基づいて、医療情報システムに、電子カルテを更新させる。
【選択図】  図１２【図１】
0006890863.tif 000002
【図２】
0006890863.tif 000003
【図３】
0006890863.tif 000004
【図４】
0006890863.tif 000005
【図５】
0006890863.tif 000006
【図６】
0006890863.tif 000007
【図７】
0006890863.tif 000008
【図８】
0006890863.tif 000009
【図９】
0006890863.tif 000010
【図１０】
0006890863.tif 000011
【図１１】
0006890863.tif 000012
【図１２】
0006890863.tif 000013
【図１３】
0006890863.tif 000014
【図１４】
0006890863.tif 000015
【図１５】
0006890863.tif 000016
【図１６】
0006890863.tif 000017
【図１７】
0006890863.tif 000018
【図１８】
0006890863.tif 000019
【図１９】
0006890863.tif 000020
【図２０】
0006890863.tif 000021
【図２１】
0006890863.tif 000022
【図２２】
0006890863.tif 000023